(57)【要約】【課題】省電力にするとともに、簡便に最適なタイミングで省電力モードを解除すること。【解決手段】基地局装置１００は、マクロ基地局装置が構成するセルよりも小さいセルを構成する。基地局制御情報処理部１０４は、マクロ基地局装置から有線伝送路を介して、省電力モードを解除する通知を受け取るか、または発信元の電話番号若しくはＥ−ｍａｉｌアドレスを発信元からの着信の通知として受け取る。省電力モード制御部１０７は、省電力モードの期間中に基地局制御情報処理部１０４において受け取った、省電力モードを解除する通知または着信の通知に応じて、省電力モードを解除する。【選択図】図１
2012054767.tif 000002
【特許請求の範囲】
【請求項１】
周辺基地局装置が構成するセルよりも小さいセルを構成する基地局装置であって、
前記周辺基地局装置から有線伝送路を介して所定の通知を受け取る通信手段と、
省電力モードの期間中に前記通信手段において受け取った前記通知に応じて、前記省電力モードを解除する制御手段と、
を具備する基地局装置。
【請求項２】
前記制御手段は、前記省電力モードの期間中に前記通信手段において前記省電力モードを解除する前記通知を受け取った場合に、前記省電力モードを解除する請求項１記載の基地局装置。
【請求項３】
自局を利用可能な端末の通信先を登録したアドレス帳情報をあらかじめ記憶する第１の記憶手段をさらに具備し、
前記制御手段は、前記省電力モードの期間中に前記通信手段において受け取った前記通知が、前記アドレス帳情報に登録した通信先からの着信の通知である場合に、前記省電力モードを解除する請求項１記載の基地局装置。
【請求項４】
前記省電力モードの期間中に前記通信手段において受け取った前記通知が、前記アドレス帳情報に登録していない通信先からの着信の通知である場合に、前記アドレス帳情報に登録していない通信先の着信情報を記憶する第２の記憶手段をさらに具備する請求項３記載の基地局装置。
【請求項５】
前記省電力モードの解除後において、前記自局を利用可能な端末が自セルに存在している場合に、前記自局を利用可能な端末に対して前記着信情報を送信する無線送信手段をさらに具備する請求項４記載の基地局装置。
【請求項６】
前記通信手段は、前記省電力モードの期間中に前記通信手段において受け取った前記通知が、前記アドレス帳情報に登録していない通信先からの着信の通知である場合に、前記アドレス帳情報に登録していない通信先に対して通話できないことを通知するメッセージを送信する請求項３記載の基地局装置。
【請求項７】
周辺基地局装置が構成するセルよりも小さいセルを構成する基地局装置における省電力制御方法であって、
前記周辺基地局装置から有線伝送路を介して所定の通知を受け取るステップと、
省電力モードの期間中に受け取った前記通知に応じて、前記省電力モードを解除するステップと、
を具備する省電力制御方法。
【発明の詳細な説明】
【技術分野】
【０００１】
本発明は、基地局装置及び省電力制御方法に関し、例えばフェムト基地局等の小型基地局において省電力にする基地局装置及び省電力制御方法に関する。
【背景技術】
【０００２】
従来、移動局は、自宅等で用いるフェムト基地局等の小型基地局を介して通信するものが知られている。一般に、小型基地局を利用可能な移動局のユーザーは、省電力のため、不在時や使用頻度の低い時間帯に小型基地局の電源をオフにしたいと考えられる（例えば、特許文献１）。
【０００３】
一方、通信エリアが小型基地局と重複するマクロ基地局は、トラフィックの負荷及びセル干渉を低減するために、可能な限り、小型基地局を利用可能な移動局には小型基地局を介して通信させたい。また、小型基地局を利用可能な移動局のユーザーは、小型基地局の利用に特化された料金形態やアプリケーションを利用するために、可能な限り小型基地局を介して通信したいと考えられる。
【０００４】
従って、小型基地局が省電力モードである場合において必要に応じて省電力モードを解除して、小型基地局を利用可能な移動局が小型基地局を介して通信できるようにすることが望ましい。
【０００５】
また、小型基地局における省電力モードを切り替える方法としては、手動で電源をオンまたはオフする方法が考えられる。また、小型基地局における省電力モードを切り替える他の方法としては、固定的に設定した時刻において電源をオンまたはオフする方法が考えられる。また、小型基地局における省電力モードを切り替えるさらに他の方法としては、移動局の送信信号の検出の有無により、電源をオンオフする方法が考えられる。
【先行技術文献】
【特許文献】
【０００６】
【特許文献１】特開平２００９―１８２６１９号公報
【発明の概要】
【発明が解決しようとする課題】
【０００７】
しかしながら、手動で電源をオンまたはオフする方法においては、電源の消し忘れや点け忘れをする可能性が高く、ユーザーにとって使い難いという問題がある。
【０００８】
また、固定的に設定した時刻において電源をオンまたはオフする方法においては、ユーザーの予定外の行動に対応できず、適切なタイミングで省電力モードを解除できないという問題がある。
【０００９】
また、移動局の送信信号を検出する方法においては、ランダムアクセス手順を実行する必要がある。即ち、小型基地局は、自セルに存在していなかった移動局が自セルに移動した場合において、移動局からの送信信号を受信するために、同期信号または報知情報を送信する機能、及びランダムアクセスチャネル受信の機能等を稼動状態にする必要がある。従って、これらを常時稼動状態とすると省電力効果を得ることができないという問題がある。
【００１０】
本発明の目的は、省電力にすることができるとともに、簡便に最適なタイミングで省電力モードを解除することができる基地局装置及び省電力制御方法を提供することである。
【課題を解決するための手段】
【００１１】
本発明の基地局装置は、周辺基地局装置が構成するセルよりも小さいセルを構成する基地局装置であって、前記周辺基地局装置から有線伝送路を介して所定の通知を受け取る通信手段と、省電力モードの期間中に前記通信手段において受け取った前記通知に応じて、前記省電力モードを解除する制御手段と、を具備する構成を採る。
【００１２】
本発明の省電力制御方法は、周辺基地局装置が構成するセルよりも小さいセルを構成する基地局装置における省電力制御方法であって、前記周辺基地局装置から有線伝送路を介して所定の通知を受け取るステップと、省電力モードの期間中に受け取った前記通知に応じて、前記省電力モードを解除するステップと、を具備するようにした。
【発明の効果】
【００１３】
本発明によれば、省電力にすることができるとともに、簡便に最適なタイミングで省電力モードを解除することができる。
【図面の簡単な説明】
【００１４】
【図１】本発明の実施の形態に係る基地局装置の構成を示すブロック図
【図２】本発明の実施の形態に係る基地局装置における省電力制御方法を示すフロー図
【図３】本発明の実施の形態に係る基地局装置が省電力モードに移行した場合において通信端末装置がマクロ基地局装置と通信している状態を示す図
【図４】本発明の実施の形態におけるマクロ基地局装置と通信中の通信端末装置が、基地局装置にハンドオーバーする状態を示す図
【図５】本発明の実施の形態に係る基地局装置が省電力モード期間中において、アドレス帳情報に登録されている発信元から着信があった状態を示す図
【図６】本発明の実施の形態に係る基地局装置が省電力モードの期間中において、アドレス帳情報に登録されていない発信元から着信があった状態を示す図
【図７】本発明の実施の形態に係る基地局装置が省電力モードの期間中において、アドレス帳情報に登録されていない発信元から着信があった後に、基地局装置が省電力モードを解除した状態を示す図
【発明を実施するための形態】
【００１５】
以下、本発明の実施の形態について、図面を参照して詳細に説明する。
【００１６】
（実施の形態）
図１は、本発明の実施の形態に係る基地局装置１００の構成を示すブロック図である。
【００１７】
基地局装置１００は、アンテナ１０１と、無線部１０２と、ベースバンド信号処理部１０３と、基地局制御情報処理部１０４と、電源制御部１０５と、省電力モード時間管理部１０６と、省電力モード制御部１０７と、アドレス帳記憶部１０８と、着信情報判定部１０９と、着信履歴管理部１１０とから主に構成される。また、基地局装置１００は、例えばフェムトセルを構成するフェムト基地局装置、またはピコセルを構成する基地局装置等の小型基地局である。
【００１８】
アンテナ１０１は、無線部１０２から入力した送信信号を送信するとともに、図示しない通信端末装置から受信した受信信号を無線部１０２へ出力する。
【００１９】
無線部１０２は、送信においては、ベースバンド信号処理部１０３から入力したベースバンド信号である送信信号を無線信号に変換してアンテナ１０１へ出力する。また、無線部１０２は、受信においては、アンテナ１０１から入力した無線信号である受信信号をベースバンド信号に変換してベースバンド信号処理部１０３へ出力する。また、無線部１０２は、電源制御部１０５の制御に従って、省電力モードの際に電源をオフし、省電力モード以外の際に電源をオンする。無線部１０２は、電源をオフする省電力モードにおいては、信号を入出力することはない。
【００２０】
ベースバンド信号処理部１０３は、送信においては、報知情報、ページング情報、ランダムアクセスチャネルのデータ、ユーザー毎のデータ及び制御情報の符号化及び変調を行う。また、ベースバンド信号処理部１０３は、符号化及び変調により生成したベースバンド信号である送信信号を無線部１０２へ出力する。また、ベースバンド信号処理部１０３は、受信においては、無線部１０２から入力したベースバンド信号である受信信号を復調及び復号して、ランダムアクセスチャネルのデータ、ユーザー毎のデータ及び制御情報を取得する。また、ベースバンド信号処理部１０３は、取得した報知情報、ページング情報、ランダムアクセスチャネルのデータ、ユーザー毎のデータ及び制御情報を基地局制御情報処理部１０４へ出力する。また、ベースバンド信号処理部１０３は、取得した制御情報を着信履歴管理部１１０へ出力する。また、ベースバンド信号処理部１０３は、着信履歴管理部１１０から後述する着信情報が入力した場合に、入力した着信情報を含むベースバンド信号を生成して無線部１０２へ出力する。
【００２１】
基地局制御情報処理部１０４は、基地局装置１００の上位局である局間制御局、及び周辺基地局装置であるマクロ基地局装置との間で有線インタフェース（ＬＴＥにおいてはＳ１及びＸ２）により接続される。ここで、マクロ基地局装置とは、基地局装置１００が構成するセルよりも大きなセルを構成する基地局装置である。
【００２２】
また、基地局制御情報処理部１０４は、上記の有線インタフェースで伝送される制御データ（Ｃ−Ｐｌａｎｅ）、及びユーザーデータ（Ｕ−Ｐｌａｎｅ）の送受信処理を行う。また、基地局制御情報処理部１０４は、ベースバンド信号処理部１０３から入力した制御情報を処理し、基地局の制御を行う。また、基地局制御情報処理部１０４は、省電力モードへの移行の通知を省電力モード制御部１０７から受けた場合に、管理サーバー（例えば、ＭＭＥ（Ｍｏｂｉｌｉｔｙ  Ｍａｎａｇｅｍｅｎｔ  Ｅｎｔｉｔｙ）、ＨｅＮＢ  ＧＷ（Ｈｏｍｅ  Ｅ−ＵＴＲＡＮ  ＮｏｄｅＢ  Ｇａｔｅｗａｙ）及び最寄りのマクロ基地局装置に対して、省電力モードに移行したことを、有線インタフェースを介して通知する。また、基地局制御情報処理部１０４は、省電力モードの解除の通知をマクロ基地局装置から受信し、受信した省電力モードの解除の通知を省電力モード制御部１０７へ出力する。また、基地局制御情報処理部１０４は、基地局装置１００を利用可能な通信端末装置の通信先である発信元の電話番号またはＥ−ｍａｉｌアドレスを、着信の通知として有線インタフェースを介して発信元から取得する。また、基地局制御情報処理部１０４は、取得した発信元の電話番号またはＥ−ｍａｉｌアドレスを着信情報判定部１０９へ出力する。また、基地局制御情報処理部１０４は、着信情報判定部１０９から入力した、発信先が通話不可であることを通知するメッセージを、有線インタフェースを介して発信元へ送信する。
【００２３】
電源制御部１０５は、無線部１０２の電源のオン及びオフを制御する。具体的には、電源制御部１０５は、省電力モード制御部１０７から省電力モードへの移行の通知を受けた際に、省電力モードに移行したものと判定し、無線部１０２の電源をオフにする制御を行う。また、電源制御部１０５は、省電力モード制御部１０７から省電力モードの解除の通知を受けた際に、無線部１０２の電源をオンにする制御を行う。
【００２４】
省電力モード時間管理部１０６は、基地局装置１００の省電力モード期間の開始時刻及び終了時刻を記憶する。また、省電力モード時間管理部１０６は、省電力モード期間の開始時刻になった際に、省電力モードへの移行を省電力モード制御部１０７に通知する。また、省電力モード時間管理部１０６は、省電力モード終了時刻になった際に、省電力モードの解除を省電力モード制御部１０７に通知する。ここで、省電力モード期間の開始時刻及び終了時刻は、ユーザーが任意に設定可能である。
【００２５】
省電力モード制御部１０７は、省電力モード時間管理部１０６から省電力モードへの移行の通知を受けた場合に、基地局制御情報処理部１０４と、電源制御部１０５と、着信履歴管理部１１０とに対して、省電力モードへの移行の通知を行う。また、省電力モード制御部１０７は、省電力モード時間管理部１０６から省電力モードの解除の通知を受けた場合に、電源制御部１０５及び着信履歴管理部１１０に対して省電力モードの解除の通知を行う。また、省電力モード制御部１０７は、省電力モードへの移行の通知を行った場合において、通信中の通信端末装置が自セル内に存在しない場合に、省電力モードを継続するものと判定する。また、省電力モード制御部１０７は、省電力モードへの移行の通知を行った後の省電力モードの期間中において、省電力モードの解除の通知が基地局制御情報処理部１０４から入力した場合に、電源制御部１０５及び着信履歴管理部１１０に対して省電力モードの解除の通知を行う。また、省電力モード制御部１０７は、省電力モードへの移行の通知を行った後の省電力モードの期間中に、着信情報判定部１０９から着信の通知を受けた場合に、電源制御部１０５及び着信履歴管理部１１０に対して省電力モードの解除の通知を行う。
【００２６】
アドレス帳記憶部１０８は、アドレス帳情報をあらかじめ記憶する。ここで、アドレス帳情報は、基地局装置１００を利用可能な通信端末装置の通信先の電話番号またはＥ−ｍａｉｌアドレスを登録した情報である。また、アドレス帳情報の電話番号またはＥ−ｍａｉｌアドレスは、ユーザーが任意に設定可能である。
【００２７】
着信情報判定部１０９は、基地局装置１００を利用可能な通信端末装置の通信先である発信元の電話番号またはＥ−ｍａｉｌアドレスが基地局制御情報処理部１０４から入力した場合に着信有りと判断する。また、着信情報判定部１０９は、入力した着信の発信元の電話番号またはＥ−ｍａｉｌアドレスが、アドレス帳記憶部１０８に記憶されているアドレス帳情報に登録されている電話番号またはＥ−ｍａｉｌアドレスと合致する場合に、省電力モード制御部１０７に対して着信を通知する。また、着信情報判定部１０９は、入力した着信の発信元の電話番号またはＥ−ｍａｉｌアドレスが、アドレス帳記憶部１０８に記憶するアドレス帳情報の電話番号またはＥ−ｍａｉｌと合致しない場合に、発信元に対して発信先の通信端末装置が通話不可であることを通知するメッセージを作成する。また、着信情報判定部１０９は、作成したメッセージを基地局制御情報処理部１０４へ出力する。また、着信情報判定部１０９は、基地局制御情報処理部１０４から入力した、着信の発信元の電話番号またはＥ−ｍａｉｌアドレスが、アドレス帳記憶部１０８に記憶するアドレス帳情報の電話番号またはＥ−ｍａｉｌと合致しない場合に、基地局制御情報処理部１０４から入力した、着信の発信元の電話番号またはＥ−ｍａｉｌアドレスを着信履歴管理部１１０へ出力する。
【００２８】
着信履歴管理部１１０は、省電力モード制御部１０７から省電力モードへの移行の通知を受けた後の省電力モードの期間中において、発信元の電話番号またはＥ−ｍａｉｌアドレスが着信情報判定部１０９から入力した場合に、入力した発信元の電話番号またはＥ−ｍａｉｌアドレスを記憶する。また、着信履歴管理部１１０は、省電力モード制御部１０７から省電力モードの解除の通知を受けた後の省電力モード解除後において、ベースバンド信号処理部１０３から入力した制御情報に基づいて、発信先の通信端末装置が自セルに存在するか否かを判定する。また、着信履歴管理部１１０は、発信先の通信端末装置が自セルに存在する場合には、記憶した発信元の電話番号またはＥ−ｍａｉｌアドレスの着信情報を生成してベースバンド信号処理部１０３へ出力する。
【００２９】
以上で、基地局装置１００の構成の説明を終える。
【００３０】
次に、基地局装置１００における省電力制御方法について、図２を用いて説明する。図２は、基地局装置１００における省電力制御方法を示すフロー図である。
【００３１】
図２より、基地局装置１００は、省電力モードか否かを常時または定期的に判定する（ステップＳＴ２０１）。
【００３２】
省電力モードである場合には（ステップＳＴ２０１：Ｙｅｓ）、省電力モード制御部１０７は、基地局制御情報処理部１０４において省電力モードの解除の通知をマクロ基地局装置から受け取ったか否かを判定する（ステップＳＴ２０２）。
【００３３】
基地局制御情報処理部１０４において省電力モードの解除の通知をマクロ基地局装置から受け取った場合には（ステップＳＴ２０２：Ｙｅｓ）、省電力モード制御部１０７は、省電力モードを解除する制御を行う（ステップＳＴ２０３）。これにより、電源制御部１０５は、無線部１０２の電源をオンにする制御を行う。
【００３４】
一方、基地局制御情報処理部１０４において省電力モードの解除の通知をマクロ基地局装置から受け取っていない場合には（ステップＳＴ２０２：Ｎｏ）、省電力モード制御部１０７、省電力モード時間管理部１０６からの通知に基づいて、省電力モード期間内であるか否かを判定する（ステップＳＴ２０４）。
【００３５】
省電力モード期間内ではない場合には（ステップＳＴ２０４：Ｎｏ）、省電力モード制御部１０７は、省電力モードを解除する制御を行う（ステップＳＴ２０３）。
【００３６】
一方、省電力モード期間内である場合には（ステップＳＴ２０４：Ｙｅｓ）、着信情報判定部１０９は、着信有りか否かを判定する（ステップＳＴ２０５）。
【００３７】
着信無しの場合には（ステップＳＴ２０５：Ｎｏ）、基地局装置１００は、処理を終了する。
【００３８】
一方、着信有りの場合には（ステップＳＴ２０５：Ｙｅｓ）、着信情報判定部１０９は、アドレス帳記憶部１０８に記憶するアドレス帳情報において、着信の発信元の電話番号またはＥ−ｍａｉｌアドレスがあるか否かを判定する（ステップＳＴ２０６）。
【００３９】
着信の発信元の電話番号またはＥ−ｍａｉｌアドレスがアドレス帳情報にある場合には（ステップＳＴ２０６：Ｙｅｓ）、省電力モード制御部１０７は、省電力モードを解除する制御を行う（ステップＳＴ２０３）。
【００４０】
一方、着信の発信元の電話番号またはＥ−ｍａｉｌアドレスがアドレス帳情報に無い場合には（ステップＳＴ２０６：Ｎｏ）、着信履歴管理部１１０は、発信元の電話番号またはＥ−ｍａｉｌアドレスを着信情報として記憶する（ステップＳＴ２０７）。
【００４１】
次に、着信情報判定部１０９は、発信先の通信端末装置が通話不可であることを通知するメッセージを作成する。そして、基地局制御情報処理部１０４は、発信先の通信端末装置が通話不可であることを通知するメッセージを発信元へ送信し（ステップＳＴ２０８）、処理を終了する。
【００４２】
ステップＳＴ２０１に戻って、省電力モードではない場合には（ステップＳＴ２０１：Ｎｏ）、着信履歴管理部１１０は、着信情報を記憶しているか否かを判定する（ステップＳＴ２０９）。
【００４３】
着信情報を記憶している場合には（ステップＳＴ２０９：Ｙｅｓ）、着信履歴管理部１１０は、発信先の通信端末装置が自セルに存在しているか否かを判定する（ステップＳＴ２１０）。
【００４４】
発信先の通信端末装置が自セルに存在している場合には（ステップＳＴ２１０：Ｙｅｓ）、基地局装置１００は、着信情報を発信先の通信端末装置に送信し（ステップＳＴ２１１）、処理を終了する。
【００４５】
また、着信情報を記憶していない場合（ステップＳＴ２０９：Ｎｏ）、または発信先の通信端末装置が自セルに存在していない場合には（ステップＳＴ２１０：Ｎｏ）、省電力モード制御部１０７は、省電力モード時間管理部１０６からの通知に基づいて、省電力モードであるか否かを判定する（ステップＳＴ２１２）。
【００４６】
省電力モードではない場合には（ステップＳＴ２１２：Ｎｏ）、基地局装置１００は、処理を終了する。
【００４７】
省電力モードである場合には（ステップＳＴ２１２：Ｙｅｓ）、基地局装置１００は、省電力モードに移行することにより、自セルに存在する通信端末装置に不都合が生じないか否かを確認する。確認方法として、現在自セルに存在している通信端末装置の有無をＲＲＣ＿ＣＯＮＮＥＣＴＥＤ＿ＵＥ数により判定する。具体的には、基地局装置１００は、ＲＲＣ＿ＣＯＮＮＥＣＴＥＤ＿ＵＥ数が「０」であるか否かを判定する（ステップＳＴ２１３）。
【００４８】
ＲＲＣ＿ＣＯＮＮＥＣＴＥＤ＿ＵＥ数が０でない場合には（ステップＳＴ２１３：Ｎｏ）、基地局装置１００は、自セルに存在している通信端末装置が通信中であるか否かを判定する（ステップＳＴ２１４）。
【００４９】
自セルに存在している通信端末装置が通信中である場合には（ステップＳＴ２１４：Ｙｅｓ）、基地局装置１００は、処理を終了して次の省電力モード判定タイミングを待つ。
【００５０】
一方、ＲＲＣ＿ＣＯＮＮＥＣＴＥＤ＿ＵＥ数が０である場合（ステップＳＴ２１３：Ｙｅｓ）、または自セルに存在している通信端末装置が通信中ではない場合には（ステップＳＴ２１４：Ｎｏ）、省電力モード制御部１０７は、省電力モードに移行可能であると判定し、次の省電力モード移行処理に進む（ステップＳＴ２１５）。これにより、電源制御部１０５は、無線部１０２の電源をオフにする制御を行う。
【００５１】
また、基地局制御情報処理部１０４は、省電力モードへ移行したことをマクロ基地局装置に通知し（ステップＳＴ２１６）、基地局装置１００は処理を終了する。
【００５２】
以上で、基地局装置１００における省電力制御方法の説明を終える。
【００５３】
図３は、基地局装置１００が省電力モードに移行した場合において通信端末装置３００がマクロ基地局（以下、「省電力モード解除基地局」と記載する）３１０と通信している状態を示す図である。なお、図３は、図２のステップＳＴ２１５及びステップＳＴ２１６の処理に対応する図である。
【００５４】
図３より、通信端末装置３００が、セル＃３５０に存在しているものの、基地局装置１００と通信中でない場合には、基地局装置１００は次の省電力モード移行処理に進む。
【００５５】
省電力モード移行処理として、基地局装置１００は、無線部１０２の電源をオフにする（図３の（１））。無線部１０２の電源のオフにより、セル＃３５０は消滅する。また、基地局装置１００は、省電力モードの解除を通知する基地局装置として指定されている省電力モード解除基地局３１０に対して、省電力モードへの移行を通知する（図３の（２））。省電力モード解除基地局３１０は、基地局装置１００の設置時に設定し、自セルの位置変更や周辺セルの設置状態に応じて再起動やアップデートにより容易に更新できる。また、通信端末装置３００は、最寄りの基地局装置である省電力モード解除基地局３１０のマクロセル＃３６０に在圏し、省電力モード解除基地局３１０と通信している（図３の（３））。
【００５６】
図４は、省電力モード解除基地局３１０と通信中の通信端末装置３００が、基地局装置１００にハンドオーバーする状態を示す図である。なお、図４は、図２のステップＳＴ２０２及びステップＳＴ２０３の処理に対応する。
【００５７】
省電力モード解除基地局３１０が省電力モードの解除を通知するのは、省電力モード期間中の基地局装置１００を利用可能な通信端末装置３００からの発信または通信端末装置３００への着信が、省電力モード解除基地局３１０において行われた場合である（図４の（１））。
【００５８】
省電力モード解除基地局３１０は、通信端末装置３００が利用可能な省電力モード期間中の基地局装置１００に対して、省電力モードの解除を通知する（図４の（２））。
【００５９】
基地局装置１００は、省電力モードの解除の通知を受信した場合には、無線部１０２の電源をオンにすることで省電力モードを解除する（図４の（３））。基地局装置１００の無線部１０２の電源オンにより、基地局装置１００はセル＃３５０を構成する。セル＃３５０が構成されることにより、通信端末装置３００は基地局装置１００のセルサーチが可能になる。通信端末装置１００は、セル＃３５０を検出し、通信品質や自分が在圏するセル＃３５０の優先度に基づき、ハンドオーバーするか否かを判定する。
【００６０】
通信端末装置３００は、セル＃３５０を選択することを決定し、基地局装置１００にハンドオーバーする（図４の（４））。
【００６１】
また、省電力モード解除基地局３１０は、省電力モードの解除を通知すると判断する条件として、発信または着信を行う通信端末装置３００の位置情報を用いて、通信端末装置３００の現在位置が、省電力モード期間中の基地局装置１００が省電力モード解除後に構成するセル＃３５０内であるか否かの判定を加えることが好ましい。
【００６２】
図５は、基地局装置１００が省電力モード期間中において、アドレス帳情報に登録されている発信元から着信があった状態を示す図である。なお、図５は、図２のステップＳＴ２０３、ステップＳＴ２０５及びステップＳＴ２０６の処理に対応する。
【００６３】
図５では、基地局装置１００が省電力モードに移行することにより、通信端末装置３００は、基地局装置１００が最後に在圏していた基地局装置となり、現在において在圏している基地局装置が存在していない状態である。
【００６４】
基地局装置１００の省電力モード期間中において、基地局装置１００が省電力モードへの移行時に（図５の（１））、セル＃３５０に存在していた通信端末装置が他のセルに存在していないものとする。この場合において、通信端末装置３００は、省電力モード期間中の基地局装置１００に対して着信する（図５の（２））。また、基地局装置１００は、発信元である通信端末装置３００の電話番号またはＥ−ｍａｉｌアドレスが、アドレス帳記憶部１０８に記憶するアドレス帳情報に登録されているか否かを判定する（図５の（３））。
【００６５】
電話番号またはＥ−ｍａｉｌアドレスがアドレス帳情報に登録されている発信元の通信端末装置３００は、ユーザーの通信端末装置５００が通信を行いたい相手であると考えられるため、基地局装置１００は省電力モードを解除する（図５の（４））。
【００６６】
省電力モードを解除することにより、セル＃３５０が構成され、通信端末装置５００は、セル＃３５０に存在することで着信を受けることが可能となり、発信元の通信端末装置３００と通信することが可能になる（図５の（５））。
【００６７】
なお、判定対象は、アドレス帳に登録されている電話番号またはＥ−ｍａｉｌアドレスに限らず、ユーザーが任意に設定したもの、ユーザー毎の発着信履歴または警察や病院など緊急度が高いと考えられる発信元としてもよい。また、それらの組み合わせでも良い。
【００６８】
図６は、基地局装置１００が省電力モードの期間中において、アドレス帳情報に登録されていない発信元から着信があった状態を示す図である。なお、図６は、図２のステップＳＴ２０５〜ステップＳＴ２０８の処理に対応する。
【００６９】
基地局装置１００は、省電力モードの期間中に（図６の（１））、発信元である通信端末装置３００から着信するが（図６の（２））、着信の発信元である通信端末装置３００の電話番号またはＥ−ｍａｉｌアドレスが、アドレス帳情報に登録されていない（図６の（３））。
【００７０】
アドレス帳情報に登録されていない発信元である通信端末装置３００は、ユーザーである通信端末装置５００にとって積極的に通信を行う必要がない相手であると考えられるため、この場合、基地局装置１００の省電力モードを解除しない。
【００７１】
一方、省電力モード期間中に、何らかの着信があった事実をユーザーは知っておきたい場合がある。このため、着信履歴管理部１１０は、発信元である通信端末装置３００の電話番号またはＥ−ｍａｉｌアドレスなどの着信情報を記憶する（図６の（４））。記憶した着信情報は、省電力モード解除後に使用する。
【００７２】
また、基地局装置１００は、発信先の通信端末装置５００が現在通話不可であることを通知するメッセージを発信元である通信端末装置３００に送信する（図６の（５））。
【００７３】
図７は、基地局装置１００が省電力モードの期間中において、アドレス帳情報に登録されていない発信元から着信があった後に、基地局装置１００が省電力モードを解除した状態を示す図である。なお、図７は、図２のステップＳＴ２０１、及びステップＳＴ２０９〜ステップＳＴ２１１の処理に対応する。
【００７４】
基地局装置１００は、省電力モードの期間終了、またはアドレス帳情報に登録されていた発信元からの着信により省電力モードを解除する（図７の（１））。この際、通信端末装置５００は、セル＃３５０の範囲外に移動していなければ、まだセル＃３５０に存在する（図７の（２））。
【００７５】
基地局装置１００は、省電力モード解除後、すなわち省電力モードでない場合、省電力モードの期間中に着信履歴管理部１１０に記憶しておいた電話番号またはＥ−ｍａｉｌアドレス等の通信端末装置３００の着信情報の有無を判定する。着信情報がある場合、着信情報の発信先の対象となる通信端末装置５００が、現在自セルであるセル＃３５０に存在しているか否かを判定する。対象となる通信端末装置５００が自セル＃３５０に存在している場合、基地局装置１００は、通信端末装置５００に対して通信端末装置３００の着信情報を送信する（図７の（３））。送信した着信情報は、着信履歴管理部１１０から削除する。
【００７６】
一方、対象となる通信端末装置が在圏していない場合、処理を終了し、次の着信情報の有無の判定を待つ。
【００７７】
このように、本実施の形態では、省電力モードを解除するか否かの判定を、省電力モードの解除の通知を受け取ったか否か、またはアドレス帳情報に登録されている電話番号またはＥ−ｍａｉｌアドレスに着信があったか否かにより行う。これにより、本実施の形態によれば、省電力にすることができるとともに、簡便に最適なタイミングで省電力モードを解除することができる。
【００７８】
また、本実施の形態によれば、発信元の電話番号またはＥ−ｍａｉｌアドレスがアドレス帳情報に登録されている場合にのみ省電力モードを解除するので、省電力効果を確実に得ることができる。
【００７９】
また、本実施の形態では、発信元の電話番号またはＥ−ｍａｉｌアドレスがアドレス帳情報に登録されていないことにより省電力モードを解除しない場合には、通話できない旨のメッセージを発信元に送信する。これにより、本実施の形態によれば、発信元に対して必要かつ適切な情報を提供することができる。
【００８０】
また、本実施の形態によれば、省電力モード解除後に、アドレス帳情報に登録されていない発信元の着信情報を発信先に送信するので、発信先に対して必要かつ適切な情報を適切なタイミングで提供することができる。
【産業上の利用可能性】
【００８１】
本発明にかかる基地局装置及び省電力制御方法は、例えばフェムト基地局等の小型基地局において省電力にするのに好適である。
【符号の説明】
【００８２】
１００  基地局装置
１０１  アンテナ
１０２  無線部
１０３  ベースバンド信号処理部
１０４  基地局制御情報処理部
１０５  電源制御部
１０６  省電力モード時間管理部
１０７  省電力モード制御部
１０８  アドレス帳記憶部
１０９  着信情報判定部
１１０  着信履歴管理部
【図１】
2012054767.tif 000003
【図２】
2012054767.tif 000004
【図３】
2012054767.tif 000005
【図４】
2012054767.tif 000006
【図５】
2012054767.tif 000007
【図６】
2012054767.tif 000008
【図７】
2012054767.tif 000009